(57)【要約】【課題】ハンズフリー機能を備えた子機のバッテリー残量が少なくなった場合において、代替用の子機を必要とすることなく、かつバッテリー残量が少なくなった子機が動作に支障をきたすことのない電話装置を提供する。【解決手段】子機は、通話状態等においてスピーカより出力する音声の音量をパワーアンプにより大幅に増幅させるハンズフリー機能部を備えている。また子機は、子機の各部に電力を供給する充電式のバッテリーを備えている。そしてバッテリーの残容量があらかじめ定められた所定値を下回らないかを監視する残容量確認部を備えている。残容量確認部によりバッテリーの残容量が所定値を下回ることが検知された場合、動作禁止部がハンズフリー機能部の動作を禁止する。これにより、親機からハンズフリー機能の実施命令が送られてきた場合においても、子機はハンズフリー機能の実施を行わない。【選択図】図４
2008258730.tif 000002
【特許請求の範囲】
【請求項１】
電話回線に接続される主装置と、前記主装置に接続される一または複数の子機と、からなる電話装置であって、
前記子機が、音声をパワーアンプを用いて増幅してスピーカから出力するハンズフリー機能部と、前記子機が備えるバッテリーの残容量を確認する残容量確認部と、前記残容量確認部により確認された前記残容量が所定値を下回るかどうかを判定する残容量判定部と、前記子機が備える各部の動作を禁止する動作禁止部とを備え、
前記残容量判定部により前記残容量が所定値を下回ると判定された場合において、前記動作禁止部が前記ハンズフリー機能部の動作を禁止することを特徴とする電話装置。
【請求項２】
前記子機が、前記主装置から内線通話のリクエストを受けた際に、前記子機が備える操作ボタン群による応答操作の実施を必要とすることなく前記主装置との通話状態に移行するとともに、前記主装置から受信した音声をパワーアンプを用いて増幅してスピーカから出力する内線ボイスコール機能部を備え、
前記動作禁止部が、前記残容量判定部により前記残容量が所定値を下回ると判定された場合において、前記内線ボイスコール機能部の動作を禁止することを特徴とする請求項１に記載の電話装置。
【請求項３】
前記主装置が、外線通話により受信した音声を記録媒体に録音する留守番電話機能を備え、
前記子機が、前記主装置において前記留守番電話機能が実行されている状態において、前記主装置が受信した音声、及び前記主装置が出力するガイダンス音声を通信回線を通じて受信してパワーアンプを用いて増幅してスピーカから出力するモニター機能部を備え、
前記動作禁止部が、前記残容量判定部により前記残容量が所定値を下回ると判定された場合において、前記モニター機能部の動作を禁止することを特徴とする請求項１または請求項２に記載の電話装置。
【請求項４】
電話回線に接続される主装置と、前記主装置に接続される一または複数の子機と、からなる電話装置であって、
前記子機が、音声をパワーアンプを用いて増幅してスピーカから出力するハンズフリー機能部と、前記子機が備えるバッテリーの残容量を確認する残容量確認部と、前記残容量確認部により確認された前記残容量が所定値を下回るかどうかを判定する残容量判定部と、前記残容量判定部により前記残容量が所定値を下回ると判定された場合において、前記主装置に対して前記残容量が所定値を下回ることを通知する残容量通知部と、を備え、
前記主装置が、前記残容量通知部から前記残容量が所定値を下回ることを示す通知を受信した場合に、前記ハンズフリー機能部に対する動作指示の発行を前記主装置の各部に対して禁止することを特徴とする電話装置。
【請求項５】
前記子機が、前記主装置から内線通話のリクエストを受けた際に、前記子機が備える操作ボタン群による応答操作の実施を必要とすることなく前記主装置との通話状態に移行するとともに、前記主装置から受信した音声をパワーアンプを用いて増幅してスピーカから出力する内線ボイスコール機能部を備え、
前記主装置が、前記残容量通知部から前記残容量が所定値を下回ることを示す通知を受信した場合に、前記内線ボイスコール機能部に対する動作指示の発行を前記主装置の各部に対して禁止することを特徴とする請求項４に記載の電話装置。
【請求項６】
前記主装置が、外線通話により受信した音声を記録媒体に録音する留守番電話機能を備え、
前記子機が、前記主装置において前記留守番電話機能が実行されている状態において、前記主装置が受信した音声、及び前記主装置が出力するガイダンス音声を通信回線を通じて受信してパワーアンプを用いて増幅してスピーカから出力するモニター機能部を備え、
前記主装置が、前記残容量通知部から前記残容量が所定値を下回ることを示す通知を受信した場合に、前記モニター機能部に対する動作指示の発行を前記主装置の各部に対して禁止することを特徴とする請求項４または請求項５に記載の電話装置。
【請求項７】
電話回線に接続される主装置と、前記主装置に接続される一または複数の子機と、からなる電話装置であって、
前記子機が、音声をパワーアンプを用いて増幅してスピーカから出力するハンズフリー機能部と、前記子機が備えるバッテリーの残容量を確認する残容量確認部と、前記残容量確認部により確認された前記残容量が所定値を下回るかどうかを判定する残容量判定部と、前記主装置からの通信リクエストを検知し、かつ前記残容量判定部により前記残容量が所定値を下回っていると判定されている場合において、前記残容量が所定値を下回ることを示す情報を含む返信を前記主装置に送信する通信機能部と、を備え、
前記主装置が、前記残容量が所定値を下回ることを示す情報を含む返信を受信した場合に、前記ハンズフリー機能部に対する動作指示の発行を前記主装置の各部に対して禁止することを特徴とする電話装置。
【請求項８】
前記子機が、前記主装置から内線通話のリクエストを受けた際に、前記子機が備える操作ボタン群による応答操作の実施を必要とすることなく前記主装置との通話状態に移行するとともに、前記主装置から受信した音声をパワーアンプを用いて増幅してスピーカから出力する内線ボイスコール機能部を備え、
前記主装置が、前記残容量が所定値を下回ることを示す情報を含む返信を受信した場合に、前記内線ボイスコール機能部に対する動作指示の発行を前記主装置の各部に対して禁止することを特徴とする請求項７に記載の電話装置。
【請求項９】
前記主装置が、外線通話により受信した音声を記録媒体に録音する留守番電話機能を備え、
前記子機が、前記主装置において前記留守番電話機能が実行されている状態において、前記主装置が受信した音声、及び前記主装置が出力するガイダンス音声を通信回線を通じて受信してパワーアンプを用いて増幅してスピーカから出力するモニター機能部を備え、
前記主装置が、前記残容量が所定値を下回ることを示す情報を含む返信を受信した場合に、前記モニター機能部に対する動作指示の発行を前記主装置の各部に対して禁止することを特徴とする請求項７または請求項８に記載の電話装置。
【発明の詳細な説明】
【技術分野】
【０００１】
本発明は、ＮＴＴ等の通信業者が提供する電話回線に接続される電話装置に関するものであり、特に電話装置が備える子機が、内線着信時に自動応答を行いハンズフリー通話状態となるハンズフリー機能を備えた電話装置に関する。
【背景技術】
【０００２】
近年、通信インフラの発達により、通信に関する様々な付加サービスが普及するようになってきた。特に電話回線に接続される電話装置においては、一台の親機（＝主装置）と複数台の子機とが電話回線を共有する、いわゆる親子電話が広く普及している。
【０００３】
親子電話が備える機能の一つに、ハンズフリー機能（＝手放し通話機能）がある。ハンズフリー機能とは、子機が音声をスピーカから出力する際に、音声をパワーアンプにより増幅してスピーカから出力する機能である。これによりユーザは、子機を手に持たない状態（＝ハンズフリー状態）で通話を行う、例えば子機をテーブルの上に置いた状態で通話を行うことが可能である。
【０００４】
このハンズフリー機能を利用した機能として、内線ボイスコール機能や居留守モニター機能等が存在する。内線ボイスコール機能とは、親機から子機に対して内線通信のリクエストが発生した場合に、子機がユーザ操作を必要とすることなくリクエスト応答を行う。これにより自動的に通話状態に移行する。そしてこの通話状態において、ハンズフリー機能が有効となる。このため、子機がユーザから離れた場所にあっても通話を行うことが可能である。
【０００５】
また居留守モニター機能とは、親機が電話回線より着信を検知し、なおかつ留守中であることを相手に通知して通話内容を録音可能な状態にする留守番電話モードに移行した場合に、親機のスピーカから出力される音声を子機のハンズフリー機能を用いて出力する機能である。これにより子機のスピーカからは、例えば留守番電話機能の音声ガイダンスや親機が受信している音声を、ユーザはハンズフリー状態で聞くことが可能である。
【０００６】
しかしながら、上記のようなハンズフリー機能、或いはハンズフリー機能を利用した各種機能を用いる場合、子機のパワーアンプにより出力音量の大幅な増幅を行うため、通常の親機との通話処理よりも多くの電力を消費する。このため、子機のバッテリーにかかる負担が増加し、ユーザは頻繁に子機のバッテリー充電を行わねばならない。もし充電を怠った場合、バッテリー電力の不足により子機が様々な機能不全、例えば通話状態において音声が聞き取りにくい等の問題を引き起こす可能性がある。
【０００７】
上記に関連して特許文献１には、通話処理をしている移動体電話機が通信不能となる場合であっても他の移動体電話機を使用してハンズフリー通話を再開して、ユーザの利便性を向上させることができるハンズフリー電話装置が開示されている。
【０００８】
特許文献１のハンズフリー電話装置は、移動体電話機との間で近距離無線通信を行うことにより、移動体電話機によるハンズフリー通話を可能とする。またこのハンズフリー電話装置は、複数の移動体電話機との間で近距離無線通信を行う近距離無線通信手段を備えている。近距離無線通信手段は、複数の移動体電話機のそれぞれのバッテリー残量を示すバッテリー残量情報を受信して記憶しておく。そして、複数の移動体電話機のうち、他の電話装置との間で通話処理を行っている移動体電話機のバッテリー残量が所定値以下にまで低下したことを検出した場合に、当該通話処理を行っている移動体電話機よりもバッテリー残量が多い他の移動体電話機との間で近距離無線通信を行うように近距離無線通信手段を制御する。これにより、他の電話装置との間で通話処理を行う移動体電話機を切り換えることが可能である。
【特許文献１】特開２００５−３３６７２号公報
【発明の開示】
【発明が解決しようとする課題】
【０００９】
しかしながら特許文献１に開示されているハンズフリー電話装置は、親機の近辺かつユーザの近辺に複数台の子機（＝移動体電話機）が存在することが前提となっている。もし子機が一台しか存在しない場合、子機のバッテリー残量が少なくなった場合において、従来と同じく子機が動作に支障をきたす可能性があるという問題があった。また親機は、常に複数台の子機のバッテリー残量を監視して記録しておかなければならず、装置構成および処理内容が複雑になるという問題があった。またユーザは、使用する子機の情報をあらかじめ親機に登録しておかねばならず、ユーザの作業負担が増加するという問題があった。
【００１０】
本発明は、上記の問題を解決するためになされたものであって、その目的は、ハンズフリー機能を備えた一または複数の子機を備えた電話装置において、特定の子機のバッテリー残量が少なくなった場合において、代替用の子機を必要とすることなく、かつバッテリー残量が少なくなった子機が動作に支障をきたすことのない電話装置を提供することにある。
【課題を解決するための手段】
【００１１】
上記目的を達成するために本発明の電話装置は、電話回線に接続される主装置と、前記主装置に接続される一または複数の子機とからなる電話装置であって、前記子機が、音声をパワーアンプを用いて増幅してスピーカから出力するハンズフリー機能部と、前記子機が備えるバッテリーの残容量を確認する残容量確認部と、前記残容量確認部により確認された前記残容量が所定値を下回るかどうかを判定する残容量判定部と、前記子機が備える各部の動作を禁止する動作禁止部とを備え、前記残容量判定部により前記残容量が所定値を下回ると判定された場合において、前記動作禁止部が前記ハンズフリー機能部の動作を禁止することを特徴としている。
【００１２】
この構成によると、本発明の電話装置は、電話回線に接続される親機（＝主装置）と、親機に無線通信等で接続される一台以上の子機とから構成される。子機は親機との内線通話、或いは親機を中継しての外線通話を行うことが可能である。子機は、通話状態等においてスピーカより出力する音声の音量をパワーアンプにより大幅に増幅させるハンズフリー機能部を備えている。ハンズフリー機能部によればユーザは、子機を手に持ってスピーカを耳に近づける必要がないため、手放し通話（＝ハンズフリー通話）を行うことが可能である。また子機は、子機の各部に電力を供給する充電式のバッテリーを備えている。そしてバッテリーの残容量があらかじめ定められた所定値を下回らないかを監視する残容量確認部を備えている。残容量確認部によりバッテリーの残容量が所定値を下回ることが検知された場合、動作禁止部がハンズフリー機能部の動作を禁止する。これにより、親機からハンズフリー機能の実施命令が送られてきた場合においても、子機はハンズフリー機能の実施を行わない。なお、バッテリーを充電することにより残容量が所定を上回ることを残容量確認部が検知した場合は、ハンズフリー機能部の動作禁止が解除される。
【００１３】
また上記目的を達成するために本発明の電話装置は、前記子機が、前記主装置から内線通話のリクエストを受けた際に、前記子機が備える操作ボタン群による応答操作の実施を必要とすることなく前記主装置との通話状態に移行するとともに、前記主装置から受信した音声をパワーアンプを用いて増幅してスピーカから出力する内線ボイスコール機能部を備え、前記動作禁止部が、前記残容量判定部により前記残容量が所定値を下回ると判定された場合において、前記内線ボイスコール機能部の動作を禁止することを特徴としている。
【００１４】
この構成によると、本発明の電話装置が備える子機は内線ボイスコール機能部を備えている。内線ボイスコール機能部によれば、子機は内線通話のリクエストを親機から受けた際に、ユーザの応答操作を必要とすることなく自動的に通話状態に移行する。そして通話状態において受信した音声を、パワーアンプを用いて増幅してスピーカから出力する。これによりユーザは、内線着信時に子機に一切触れることなく通話状態に入ることが可能である。ただし子機の残容量判定部により、バッテリーの残容量が所定値を下回ると判定されている場合においては、動作禁止部が内線ボイスコール機能部の動作を禁止する。このためユーザが内線ボイスコール機能を有効に設定している状態で内線着信があったとしても、内線ボイスコール機能部が動作せず通常の内線着信処理、例えば呼び出し音の出力等のみが行われる。なお、バッテリーを充電することにより残容量が所定を上回ることを残容量確認部が検知した場合は、内線ボイスコール機能部の動作禁止が解除される。
【００１５】
また上記目的を達成するために本発明の電話装置は、前記主装置が、外線通話により受信した音声を記録媒体に録音する留守番電話機能を備え、前記子機が、前記主装置において前記留守番電話機能が実行されている状態において、前記主装置が受信した音声、及び前記主装置が出力するガイダンス音声を通信回線を通じて受信してパワーアンプを用いて増幅してスピーカから出力するモニター機能部を備え、前記動作禁止部が、前記残容量判定部により前記残容量が所定値を下回ると判定された場合において、前記モニター機能部の動作を禁止することを特徴としている。
【００１６】
この構成によると、本発明の電話装置が備える子機は留守番電話モニター部（＝モニター機能部）を備えている。留守番電話モニター部によれば、親機が留守番電話機能により伝言メッセージを録音している際に、録音中の音声や親機が発するガイダンス音声などを、子機のスピーカから出力する。この際に留守番電話モニター部は、音声をパワーアンプを用いて増幅してスピーカから出力する。これによりユーザは、親機において留守番電話機能が動作している際に、子機に一切触れることなく通話内容の確認を行うことができる。ただし子機の残容量判定部により、バッテリーの残容量が所定値を下回ると判定されている場合においては、動作禁止部により留守番電話モニター部の動作が禁止される。このため、ユーザが留守番電話モニター機能を有効に設定している状態で留守番電話機能が動作したとしても、留守番電話モニター部が動作せず通常の処理、例えば留守番電話機能動作中であることを示すランプが点灯する等のみが行われる。なお、バッテリーを充電することにより残容量が所定を上回ることを残容量確認部が検知した場合は、留守番電話モニター部の動作禁止が解除される。
【００１７】
また上記目的を達成するために本発明の電話装置は、電話回線に接続される主装置と、前記主装置に接続される一または複数の子機とからなる電話装置であって、前記子機が、音声をパワーアンプを用いて増幅してスピーカから出力するハンズフリー機能部と、前記子機が備えるバッテリーの残容量を確認する残容量確認部と、前記残容量確認部により確認された前記残容量が所定値を下回るかどうかを判定する残容量判定部と、前記残容量判定部により前記残容量が所定値を下回ると判定された場合において、前記主装置に対して前記残容量が所定値を下回ることを通知する残容量通知部とを備え、前記主装置が、前記残容量通知部から前記残容量が所定値を下回ることを示す通知を受信した場合に、前記ハンズフリー機能部に対する動作指示の発行を前記主装置の各部に対して禁止することを特徴としている。
【００１８】
この構成によると、本発明の電話装置は、電話回線に接続される親機と、親機に無線通信等で接続される一台以上の子機とから構成される。子機は親機との内線通話、或いは親機を中継しての外線通話を行うことが可能である。子機はハンズフリー機能部を備えており、これによりユーザはハンズフリー通話を行うことが可能である。また子機は、子機の各部に電力を供給する充電式のバッテリーを備えている。そしてバッテリーの残容量があらかじめ定められた所定値を下回らないかを監視する残容量確認部を備えている。残容量確認部により子機バッテリーの残容量が所定値を下回ることが検知された場合、残容量通知部が親機に対して残容量不足の通知を行う。この通知を受信した親機は、子機が備えるハンズフリー機能部に対する動作命令の発行を、親機が備える各部、例えば制御部や無線通信部等に対して禁止する。これにより、子機はハンズフリー機能の実施を行わない状態となる。なお、子機バッテリーを充電することにより残容量が所定を上回ることを残容量確認部が検知した場合、子機は親機に対して残容量不足解消の通知を行う。この通知を受信した親機は、ハンズフリー機能部に対する動作命令発効の禁止を解除する。
【００１９】
また上記目的を達成するために本発明の電話装置は、前記子機が、前記主装置から内線通話のリクエストを受けた際に、前記子機が備える操作ボタン群による応答操作の実施を必要とすることなく前記主装置との通話状態に移行するとともに、前記主装置から受信した音声をパワーアンプを用いて増幅してスピーカから出力する内線ボイスコール機能部を備え、前記主装置が、前記残容量通知部から前記残容量が所定値を下回ることを示す通知を受信した場合に、前記内線ボイスコール機能部に対する動作指示の発行を前記主装置の各部に対して禁止することを特徴としている。
【００２０】
この構成によると、本発明の電話装置が備える子機は内線ボイスコール機能部を備えている。ただし子機の残容量判定部により、子機バッテリーの残容量が所定値を下回ると判定された場合に、残容量通知部が親機に対して残容量不足の通知を行う。この通知を受信した親機は、子機が備える内線ボイスコール機能部に対する動作命令の発行を、親機が備える各部、例えば制御部や無線通信部等に対して禁止する。このためユーザが内線ボイスコール機能を有効に設定している状態で子機に内線着信があったとしても、内線ボイスコール機能部が動作せず通常の内線着信処理、例えば呼び出し音の出力等のみが行われる。なお、子機バッテリーを充電することにより残容量が所定を上回ることを残容量確認部が検知した場合、子機は親機に対して残容量不足解消の通知を行う。この通知を受信した親機は、内線ボイスコール機能部に対する動作命令発効の禁止を解除する。
【００２１】
また上記目的を達成するために本発明の電話装置は、前記主装置が、外線通話により受信した音声を記録媒体に録音する留守番電話機能を備え、前記子機が、前記主装置において前記留守番電話機能が実行されている状態において、前記主装置が受信した音声、及び前記主装置が出力するガイダンス音声を通信回線を通じて受信してパワーアンプを用いて増幅してスピーカから出力するモニター機能部を備え、前記主装置が、前記残容量通知部から前記残容量が所定値を下回ることを示す通知を受信した場合に、前記モニター機能部に対する動作指示の発行を前記主装置の各部に対して禁止することを特徴としている。
【００２２】
この構成によると、本発明の電話装置が備える子機は留守番電話モニター部（＝モニター機能部）を備えている。ただし子機の残容量判定部により、子機バッテリーの残容量が所定値を下回ると判定された場合に、残容量通知部が親機に対して残容量不足の通知を行う。この通知を受信した親機は、子機が備える留守番電話モニター部に対する動作命令の発行を、親機が備える各部、例えば制御部や無線通信部等に対して禁止する。このため、ユーザが留守番電話モニター機能を有効に設定している状態で留守番電話機能が動作したとしても、留守番電話モニター部が動作せず通常の処理、例えば留守番電話機能動作中であることを示すランプが点灯する等のみが行われる。なお、子機バッテリーを充電することにより残容量が所定を上回ることを残容量確認部が検知した場合、子機は親機に対して残容量不足解消の通知を行う。この通知を受信した親機は、留守番電話モニター部に対する動作命令発効の禁止を解除する。
【００２３】
また上記目的を達成するために本発明の電話装置は、電話回線に接続される主装置と、前記主装置に接続される一または複数の子機とからなる電話装置であって、前記子機が、音声をパワーアンプを用いて増幅してスピーカから出力するハンズフリー機能部と、前記子機が備えるバッテリーの残容量を確認する残容量確認部と、前記残容量確認部により確認された前記残容量が所定値を下回るかどうかを判定する残容量判定部と、前記主装置からの通信リクエストを検知し、かつ前記残容量判定部により前記残容量が所定値を下回っていると判定されている場合において、前記残容量が所定値を下回ることを示す情報を含む返信を前記主装置に送信する通信機能部とを備え、前記主装置が、前記残容量が所定値を下回ることを示す情報を含む返信を受信した場合に、前記ハンズフリー機能部に対する動作指示の発行を前記主装置の各部に対して禁止することを特徴としている。
【００２４】
この構成によると、本発明の電話装置は、電話回線に接続される親機と、親機に無線通信等で接続される一台以上の子機とから構成される。子機は親機との内線通話、或いは親機を中継しての外線通話を行うことが可能である。子機はハンズフリー機能部を備えており、これによりユーザはハンズフリー通話を行うことが可能である。また子機は、子機の各部に電力を供給する充電式のバッテリーを備えている。そしてバッテリーの残容量があらかじめ定められた所定値を下回らないかを監視する残容量確認部を備えている。残容量確認部により子機バッテリーの残容量が所定値を下回ることが検知されている状態において、親機から通話リクエスト等の通信信号を受信すると、子機の返信部は残容量不足を示す情報を返信信号に含めて送信する。この返信信号を受信した親機は、子機が備えるハンズフリー機能部に対する動作命令の発行を、親機が備える各部、例えば制御部や無線通信部等に対して禁止する。これにより、子機はハンズフリー機能の実施を行わない状態となる。なお、子機バッテリーを充電することにより残容量が所定を上回ることを残容量確認部が検知した場合、通信時に返信部は残容量不足解消の情報を含む返信信号を親機に送信する。この返信信号を受信した親機は、ハンズフリー機能部に対する動作命令発効の禁止を解除する。
【００２５】
また上記目的を達成するために本発明の電話装置は、前記子機が、前記主装置から内線通話のリクエストを受けた際に、前記子機が備える操作ボタン群による応答操作の実施を必要とすることなく前記主装置との通話状態に移行するとともに、前記主装置から受信した音声をパワーアンプを用いて増幅してスピーカから出力する内線ボイスコール機能部を備え、前記主装置が、前記残容量が所定値を下回ることを示す情報を含む返信を受信した場合に、前記内線ボイスコール機能部に対する動作指示の発行を前記主装置の各部に対して禁止することを特徴としている。
【００２６】
この構成によると、本発明の電話装置が備える子機は内線ボイスコール機能部を備えている。ただし子機の残容量判定部により、子機バッテリーの残容量が所定値を下回ることが検知されている状態において、親機から通話リクエスト等の通信信号を受信すると、子機の返信部は残容量不足を示す情報を返信信号に含めて送信する。この返信信号を受信した親機は、子機が備える内線ボイスコール機能部に対する動作命令の発行を、親機が備える各部、例えば制御部や無線通信部等に対して禁止する。このためユーザが内線ボイスコール機能を有効に設定している状態で子機に内線着信があったとしても、内線ボイスコール機能部が動作せず通常の内線着信処理、例えば呼び出し音の出力等のみが行われる。なお、子機バッテリーを充電することにより残容量が所定を上回ることを残容量確認部が検知した場合、通信時に返信部は残容量不足解消の情報を含む返信信号を親機に送信する。この返信信号を受信した親機は、内線ボイスコール機能部に対する動作命令発効の禁止を解除する。
【００２７】
また上記目的を達成するために本発明の電話装置は、前記主装置が、外線通話により受信した音声を記録媒体に録音する留守番電話機能を備え、前記子機が、前記主装置において前記留守番電話機能が実行されている状態において、前記主装置が受信した音声、及び前記主装置が出力するガイダンス音声を通信回線を通じて受信してパワーアンプを用いて増幅してスピーカから出力するモニター機能部を備え、前記主装置が、前記残容量が所定値を下回ることを示す情報を含む返信を受信した場合に、前記モニター機能部に対する動作指示の発行を前記主装置の各部に対して禁止することを特徴としている。
【００２８】
この構成によると、本発明の電話装置が備える子機は留守番電話モニター部を備えている。ただし子機の残容量判定部により、子機バッテリーの残容量が所定値を下回ることが検知されている状態において、親機から通話リクエスト等の通信信号を受信すると、子機の返信部は残容量不足を示す情報を返信信号に含めて送信する。この返信信号を受信した親機は、子機が備える内線ボイスコール機能部に対する動作命令の発行を、親機が備える各部、例えば制御部や無線通信部等に対して禁止する。このため、ユーザが留守番電話モニター機能を有効に設定している状態で留守番電話機能が動作したとしても、留守番電話モニター部が動作せず通常の処理、例えば留守番電話機能動作中であることを示すランプが点灯する等のみが行われる。なお、子機バッテリーを充電することにより残容量が所定を上回ることを残容量確認部が検知した場合、通信時に返信部は残容量不足解消の情報を含む返信信号を親機に送信する。この返信信号を受信した親機は、留守番電話モニター部に対する動作命令発効の禁止を解除する。
【発明の効果】
【００２９】
本発明の構成によれば、残容量確認部によりバッテリーの残容量が所定値を下回ることが検知された場合に、動作禁止部がハンズフリー機能部の動作を禁止する。このため、バッテリー残容量が少ない状態において、バッテリーの消費量を軽減することができる。これにより、ハンズフリー機能よりも優先度の高い機能、例えば通常の通話機能等の機能障害を未然に防ぐことができる。
【００３０】
また本発明の構成によれば、残容量確認部によりバッテリーの残容量が所定値を下回ることが検知された場合に、動作禁止部が内線ボイスコール機能部の動作を禁止する。このため、バッテリー残容量が少ない状態において、バッテリーの消費量を軽減することができる。これにより、内線ボイスコール機能よりも優先度の高い機能、例えば通常の通話機能等の機能障害を未然に防ぐことができる。
【００３１】
また本発明の構成によれば、残容量確認部によりバッテリーの残容量が所定値を下回ることが検知された場合に、動作禁止部が留守番電話モニター部の動作を禁止する。このため、バッテリー残容量が少ない状態において、バッテリーの消費量を軽減することができる。これにより、留守番電話モニター機能よりも優先度の高い機能、例えば通常の通話機能等の機能障害を未然に防ぐことができる。
【００３２】
また本発明の構成によれば、残容量確認部によりバッテリーの残容量が所定値を下回ることが検知された場合に、残容量通知部が親機に対して残容量不足の通知を行う。これにより、ハンズフリー機能よりも優先度の高い機能、例えば通常の通話機能等の機能障害を未然に防ぐことができる。また、複数の子機側でハンズフリー機能部の動作を禁止する必要がなく、親機側で一括して禁止するため、禁止処理を簡略化できるとともに、子機側の機能追加を最小限に留めることができる。
【００３３】
また本発明の構成によれば、残容量確認部によりバッテリーの残容量が所定値を下回ることが検知された場合に、残容量通知部が親機に対して残容量不足の通知を行う。これにより、内線ボイスコール機能よりも優先度の高い機能、例えば通常の通話機能等の機能障害を未然に防ぐことができる。また、複数の子機側で内線ボイスコール部の動作を禁止する必要がなく、親機側で一括して禁止するため、禁止処理の実行及び管理を簡略化できる。
【００３４】
また本発明の構成によれば、残容量確認部によりバッテリーの残容量が所定値を下回ることが検知された場合に、残容量通知部が親機に対して残容量不足の通知を行う。これにより、留守番電話モニター機能よりも優先度の高い機能、例えば通常の通話機能等の機能障害を未然に防ぐことができる。また、複数の子機側で留守番電話モニター部の動作を禁止する必要がなく、親機側で一括して禁止するため、禁止処理の実行及び管理を簡略化できる。
【００３５】
また本発明の構成によれば、残容量確認部によりバッテリーの残容量が所定値を下回ることが検知され、親機から通話リクエスト等の通信信号を受信した際に、子機の返信部は残容量不足を示す情報を返信信号に含めて送信する。これにより、ハンズフリー機能よりも優先度の高い機能、例えば通常の通話機能等の機能障害を未然に防ぐことができる。また、複数の子機側でハンズフリー機能部の動作を禁止する必要がなく、親機側で一括して禁止するため、禁止処理を簡略化できる。また、従来の返信信号を流用して残容量情報を送信するため、残容量不足通知の発行、及び受信を行うための機能追加を行う必要がない。
【００３６】
また本発明の構成によれば、残容量確認部によりバッテリーの残容量が所定値を下回ることが検知され、親機から通話リクエスト等の通信信号を受信した際に、子機の返信部は残容量不足を示す情報を返信信号に含めて送信する。これにより、内線ボイスコール機能よりも優先度の高い機能、例えば通常の通話機能等の機能障害を未然に防ぐことができる。また、複数の子機側で内線ボイスコール部の動作を禁止する必要がなく、親機側で一括して禁止するため、禁止処理を簡略化できる。また、従来の返信信号を流用して残容量情報を送信するため、残容量不足通知の発行、及び受信を行うための機能追加を行う必要がない。
【００３７】
また本発明の構成によれば、残容量確認部によりバッテリーの残容量が所定値を下回ることが検知され、親機から通話リクエスト等の通信信号を受信した際に、子機の返信部は残容量不足を示す情報を返信信号に含めて送信する。これにより、留守番電話モニター機能よりも優先度の高い機能、例えば通常の通話機能等の機能障害を未然に防ぐことができる。また、複数の子機側で留守番電話モニター部の動作を禁止する必要がなく、親機側で一括して禁止するため、禁止処理を簡略化できる。また、従来の返信信号を流用して残容量情報を送信するため、残容量不足通知の発行、及び受信を行うための機能追加を行う必要がない。
【発明を実施するための最良の形態】
【００３８】
以下に本発明の実施形態を、図面を参照しながら説明する。なお、ここで示す実施形態は一例であり、本発明はここに示す実施形態に限定されるものではない。
【００３９】
［実施の形態１］
〈１−１．親機の内部構成について〉
図１は、本発明に係る電話装置の親機１（＝主装置）を示す構成図である。親機１は少なくとも、制御部１１、メモリ１２、電話回線制御部１３、音声信号処理部１４、音声装置部１５、無線通信部１６、アンテナ装置１７、操作ボタン群１８、及び表示部１９を含むように構成されている。
【００４０】
制御部１１は、親機１の各部を制御することにより通信制御処理（音声データの送受信、発呼の実施、或いは着呼の検知等）を統括制御するための中央処理装置である。また制御部１１は、各装置（例えば表示部１９等）の制御やデータの計算、加工処理等を行なう中枢部分となっている。
【００４１】
メモリ１２は、親機１が保持する各種データを一時的に記憶する媒体であり、例えば書込可能なＲＡＭ（Random Access Memory）等により構成されている。メモリ１２は制御部１１によって各種通信制御処理が行われる際の処理データや、ユーザから受けた指示命令等を一時的に記憶しておくためのバッファメモリとしての役割を持つ。メモリ１２には例えば、後述する子機２のバッテリー残容量を示す子機バッテリー容量情報が記録されている。
【００４２】
電話回線制御部１３は、親機１と有線通信回線（例えばＩＳＤＮ等）とを接続し、通信規格（例えばＩＳＤＮの場合はＨ．３２０）にのっとって有線通信を行うための入出力インタフェースである。電話回線制御部１３は、制御部１１からの指示により基地局（不図示）に対して通信リクエストの送信を行う。また、基地局からの通信リクエスト信号を受信した場合に、制御部１１に対して通知する役割を持つ。なお電話回線制御部１３により入力された信号は、後述する音声信号処理部１４に与えられる。
【００４３】
音声信号処理部１４は、電話回線制御部１３や無線通信部１６により入力された音声データの復号処理を行い、音声信号として音声装置部１５が備えるスピーカに供給する。また音声信号処理部１４は、音声装置部１５が備えるマイク装置より入力された音声信号に所定の符号化処理を施して音声データを作成し、電話回線制御部１３や無線通信部１６に供給する。これにより音声データは子機２、或いは電話回線を通じて接続される他の電話装置へ送信される。
【００４４】
音声装置部１５は、音声信号を音声に変換して出力するスピーカと、スピーカにより出力する音声の増幅を行うアンプと、ユーザの音声を入力して音声信号に変換するマイクとを含む。音声装置部１５は主に、着信時の着信音の出力や、ユーザが通話時に発する通話音声の入出力を行う役割を持つ。
【００４５】
無線通信部１６は、後述するアンテナ装置１７により接続された無線通信網を介して親機１と子機２とを接続し、通信規格（例えばＩＥＥＥ  ８０２．１１ｂ）にのっとって無線通信を行う。これにより無線通信部１６は、制御部１１からの指示により子機２に対して通信リクエストの送信を行う。また、子機２からの通信リクエストを受信した場合に、制御部１１に対して通知する役割を持つ。
【００４６】
アンテナ装置１７は、無線通信部１６に接続されて無線通信電波の送受信を行う。操作ボタン群１８は、ユーザが親機１を用いて通信を行うための各種操作（例えば通話を行う相手の電話番号の入力等）を行なうためのものである。操作ボタン群１８は通常、数字キーやリダイヤルキー等の複数のキーから構成されている。
【００４７】
表示部１９は、親機１が保持する各種情報（例えば着信時における発信側電話番号等）をユーザに対して表示する。表示部１９は例えば、液晶パネル等の小型で消費電力の少ない表示装置が用いられることが多い。
【００４８】
〈１−２．子機の内部構成について〉
図２は、本発明に係る電話装置の子機２を示す構成図である。子機２は少なくとも、制御部２１、メモリ２２、アンテナ装置２３、無線通信部２４、音声信号処理部２５、スピーカ２６、パワーアンプ２７、操作ボタン群２８、表示部２９、マイク３０、及びバッテリー３１を含むように構成されている。
【００４９】
制御部２１は、子機２の各部を制御することにより通信制御処理（音声データの送受信、発呼の実施、或いは着呼の検知等）を統括制御するための中央処理装置である。また制御部２１は、各装置（例えば表示部２９等）の制御やデータの計算、加工処理等を行なう中枢部分となっている。
【００５０】
メモリ２２は、親機２が保持する各種データを一時的に記憶する媒体であり、例えば書込可能なＲＡＭ（Random Access Memory）等により構成されている。メモリ２２は制御部２１によって各種通信制御処理が行われる際の処理データや、ユーザから受けた指示命令等を一時的に記憶しておくためのバッファメモリとしての役割を持つ。メモリ２２には例えば、後述するバッテリー３１のバッテリー残容量を示す子機バッテリー容量情報や、バッテリー残容量が予め定められた所定値を下回る状態である（＝残容量不足状態である）ことを示すための残容量不足フラグ等が記録されている。
【００５１】
なお残容量不足フラグは、後述する残容量確認部２１ａがバッテリー３１の残容量不足を検知した際に有効に設定される。またバッテリー３１の充電等により残容量不足が解消されたことを残容量確認部２１ａが検知した際に、無効に設定される。
【００５２】
アンテナ装置２３は、無線通信部２４に接続され、親機１との間で無線通信電波の送受信を行う。無線通信部２４は、アンテナ装置２３により接続された無線通信網を介して子機２と親機１とを接続し、通信規格（例えばＩＥＥＥ  ８０２．１１ｂ）にのっとって無線通信を行う。これにより無線通信部２４は、親機１への通信リクエストの送信を行う。また、親機１からの通信リクエストを受信した場合に、制御部２１に対して通知する役割を持つ。
【００５３】
音声信号処理部２５は、無線通信部１６により入力された音声データの復号処理を行い、音声信号としてパワーアンプ２７を経由してスピーカ２６に供給する。また音声信号処理部２５は、マイク３０より入力された音声信号に所定の符号化処理を施して音声データを作成し、無線通信部１６に供給する。これにより音声データは親機１、或いは親機１により電話回線を通じて接続される他の電話装置へ送信される。
【００５４】
スピーカ２６は、音声信号を音声に変換して出力する。例えば親機１から受信した通話音声を含む音声信号を音声に変換して出力する。スピーカ２６が音声を出力する際に、音声の音量を増幅させるのがパワーアンプ２７である。パワーアンプ２７を用いれば、子機２がユーザの耳に近接していない状態においても聞き取り可能な音量へ増幅して音声を出力することが可能である。
【００５５】
操作ボタン群２８は、ユーザが子機２を用いて通信を行うための各種操作（例えば通話を行う相手の電話番号の入力等）を行なうためのものである。操作ボタン群２８は通常、数字キーやリダイヤルキー等の複数のキーから構成されている。表示部２９は、子機２が保持する各種情報（例えば内線着信の通知等）をユーザに対して表示する。表示部２９は例えば、液晶パネル等の小型で消費電力の少ない表示装置が用いられることが多い。
【００５６】
マイク３０は、音声を入力して音声信号に変換して音声信号処理部２５へ与える。音声信号処理部２５に与えられた音声信号は、例えば無線通信部２４及びアンテナ装置２３を用いて親機１に送信される。バッテリー３１は、外部電源（不図示）より電力の供給を受け、電力を一時的に備蓄しておく。例えば充電式アルカリ電池やリチウムイオンバッテリ等が用いられる。
【００５７】
〈１−３．機能部の構成について〉
ここで、本発明の第一の実施形態に係る子機２が備えるハンズフリー機能の動作禁止処理を構成する各機能部の関係を、図３の機能ブロック図を用いながら説明する。
【００５８】
図３に示すように本発明のハンズフリー機能の動作禁止処理は少なくとも、制御部２１が備える残容量確認部２１ａ、残容量判定部２１ｂ、動作禁止部２１ｃ、及びハンズフリー機能部２１ｄと、パワーアンプ２７と、バッテリー３１とにより構成される。
【００５９】
残容量確認部２１ａは、バッテリー３１が蓄えている電力の残容量を定期的に確認する。そして確認結果を、残容量判定部２１ｂに与える。残容量確認部２１ａよりバッテリー残容量の確認結果を与えられた残容量判定部２１ｂは、残容量があらかじめ定められた所定値よりも下回るかどうかの判定を行う。なお、所定値を定める基準としては、子機２がハンズフリー機能を除くその他の機能、例えば通話機能や通信リクエスト送受信機能等を支障なく実施可能である容量とすることが望ましい。
【００６０】
残容量が所定値を下回ると判定された場合、残容量判定部２１ｂはメモリ２２に記録されている残容量不足フラグを有効状態に設定する。逆に上回ると判定された場合は、メモリ２２に記録されている残容量不足フラグを無効状態に設定する。この残容量不足フラグは、ハンズフリー機能部２１ｄによるハンズフリー通話の実施を行う際に、動作禁止部２１ｃにより参照される。
【００６１】
動作禁止部２１ｃは、メモリ２２に記録されている残容量不足フラグの状態を確認し、残容量不足フラグが有効状態に設定されている場合にハンズフリー機能部２１ｄの動作を禁止する。これによりハンズフリー機能部２１ｄは、例えば親機からハンズフリー通話リクエストを受信した場合であっても、出力音声を増幅する指示をパワーアンプ２７に対して行なわない。なお、ハンズフリー機能部２１ｄは動作禁止部２１ｃからの動作禁止指示が解除された段階で、通常通りパワーアンプ２７に対する音声の増幅指示を与えることが可能となる。
【００６２】
〈１−４．ハンズフリー機能の動作禁止処理について〉
ここで、本発明の第一の実施形態における子機２の、ハンズフリー機能の動作禁止処理を、図１〜図３のブロック図と、図４のフロー図とを用いながら説明する。
【００６３】
図４に示す処理フローは、子機２の電源が起動し、親機１との通信が可能な状態において任意のタイミングで開始可能である。本処理の開始後、残容量確認部２１ａはステップＳ１１０において、バッテリー３１が蓄えている電力の残容量の確認を行う。確認結果は、残容量判定部２１ｂに対して与えられる。上記確認結果を与えられた残容量判定部２１ｂはステップＳ１２０において、バッテリー３１の残容量があらかじめ定められた所定値を下回るかどうかの判定を行う。
【００６４】
ステップＳ１２０において所定値を下回ると判定された場合、残容量判定部２１ｂはステップＳ１３０において、メモリ２２に記録されている残容量不足フラグの状態を確認する。残容量不足フラグが無効に設定されている場合、残容量判定部２１ｂはステップＳ１４０において、残容量不足フラグを有効に設定する。残容量不足フラグが無効に設定されている場合、ステップＳ１４０の処理を行わず、後述するステップＳ１５０に移行する。
【００６５】
逆にステップＳ１２０において所定値を上回ると判定された場合、残容量判定部２１ｂはステップＳ１２１において、メモリ２２に記録されている残容量不足フラグの状態を確認する。残容量不足フラグが有効に設定されている場合、残容量判定部２１ｂはステップＳ１２２において、残容量不足フラグを無効に設定する。残容量不足フラグが無効に設定されている場合、ステップＳ１２２の処理を行わず、次のステップＳ１５０に移行する。
【００６６】
ステップＳ１５０において制御部２１は、ハンズフリー通話機能の実施命令を検知したかどうかの判定を行う。なおハンズフリー通話機能の実施命令は、例えば子機２と親機１との間で内線通話接続が確立され、かつ子機側の設定でハンズフリー通話機能が有効に設定されている場合等に発行される。ハンズフリー通話機能の実施命令を検知していない場合、ステップＳ１１０に再び移行する。
【００６７】
逆にステップＳ１５０においてハンズフリー通話機能の実施命令を検知した場合、動作禁止手段２１ｃはステップＳ１６０において、メモリ２２に記録されている残容量不足フラグの状態を確認する。残容量不足フラグが有効に設定されている場合、動作禁止手段２１ｃはステップＳ１７０において、ハンズフリー機能部２１ｃに対して動作禁止指示を与える。これによりハンズフリー機能部２１ｃはハンズフリー機能の実施、例えばパワーアンプ２７に対する音声の増幅指示等が行えない状態となる。このため、スピーカ２６からは通常音量の音声が出力される。なおステップＳ１７０の実施後、再びステップＳ１１０に移行することにより、本処理を継続して行う。
【００６８】
逆に残容量不足フラグが無効に設定されている場合、ハンズフリー機能部２１ｃはステップ１６１において、ハンズフリー機能の実施、例えばパワーアンプ２７に対する音声の増幅指示を行う。このため、スピーカ２６からは音量が増幅された音声が出力される。なおステップＳ１６１の実施後、再びステップＳ１１０に移行することにより、本処理を継続して行う。
【００６９】
以上のように本処理は通常、子機２の電源停止時やバッテリー切れの発生時等に終了される。ただし、処理中断指示を受け付ける指示受付部を設けることにより、任意のタイミングで本処理を中断可能とする形態であってもよい。
【００７０】
次に、本発明の電話装置の第二の実施形態ついて、図面を参照しつつ説明する。
［実施の形態２］
〈２−１．親機の内部構成について〉
実施の形態１と同内容であるため、ここでは説明を省略する。
【００７１】
〈２−２．子機の内部構成について〉
実施の形態１と同内容であるため、ここでは説明を省略する。
【００７２】
〈２−３．機能部の構成について〉
ここで、本発明の第二の実施形態に係る子機２が備える内線ボイスコール機能の動作禁止処理を構成する各機能部の関係を、図５の機能ブロック図を用いながら説明する。なお、実施の形態１と同内容の機能部については、同一の符号を付加することにより説明を省略するものとする。
【００７３】
図５に示すように本発明の内線ボイスコール機能の動作禁止処理は少なくとも、制御部２１が備える残容量確認部２１ａ、残容量判定部２１ｂ、残容量通知部２１ｄ、及び内線ボイスコール機能部２１ｅと、無線通信部２４と、パワーアンプ２７と、バッテリー３１とにより構成される。
【００７４】
残容量確認部２１ａ、及び残容量判定部２１ｂについては実施の形態１と同内容であるため説明を省略する。
【００７５】
残容量通知部２１ｄは、残容量判定部２１ｂにより残容量不足フラグの状態が変更された際に、親機１に対して残容量不足フラグの状態変化通知を無線通信部２４を用いて送信する。なおこの際、併せてバッテリー３１の残容量を示す情報も送信することが望ましい。残容量通知部２１ｄにより送信された情報は親機１の無線通信部１６により受信され、メモリ１２に記録される。
【００７６】
内線ボイスコール機能部２１ｅは、親機１より内線通話リクエストを受信した際に、内線通話リクエストに対してユーザ操作を必要とすることなく自動応答し、なおかつ出力音声の増幅をパワーアンプ２７に対して指示する。なお内線ボイスコール機能部２１は、あらかじめユーザ設定により内線ボイスコール機能が有効に設定されている場合のみ動作する。有効／無効の設定は、例えば子機２のメモリ２２に記録されている。或いは、親機から内線通話リクエストと共に内線ボイスコール機能の実施命令が送られてきた場合のみ、内線ボイスコール機能部２１ｅが動作する形態であってもよい。
【００７７】
〈２−４．内線ボイスコール機能の動作禁止処理について〉
ここで、本発明の第二の実施形態における親機１及び子機２の、内線ボイスコール機能の動作禁止処理を、図１、図２、及び図５のブロック図と、図６、及び図７のフロー図とを用いながら説明する。なお図６が子機２の、図７が親機１の処理フローを示している。
【００７８】
図６に示す子機２の処理フローは、子機２の電源が起動し、親機１との通信が可能な状態において任意のタイミングで開始可能である。本処理の開始後、残容量確認部２１ａはステップＳ２１０において、バッテリー３１が蓄えている電力の残容量の確認を行う。確認結果は、残容量判定部２１ｂに対して与えられる。上記確認結果を与えられた残容量判定部２１ｂはステップＳ２２０において、バッテリー３１の残容量があらかじめ定められた所定値を下回るかどうかの判定を行う。
【００７９】
ステップＳ２２０において所定値を下回ると判定された場合、残容量判定部２１ｂはステップＳ２３０において、メモリ２２に記録されている残容量不足フラグの状態を確認する。残容量不足フラグが無効に設定されていない、つまり有効である場合、再びステップＳ２１０に移行することにより、本処理を継続して行う。逆に残容量不足フラグが無効に設定されている場合、残容量判定部２１ｂはステップＳ２４０において、残容量不足フラグを有効に設定する。
【００８０】
次に残容量通知部２１ｄがステップＳ２５０において、無線通信部２４を用いて親機１に対し、変更後の残容量フラグを示す情報、この場合はフラグが有効であることを示す情報を送信する。フラグ情報の送信後、再びステップＳ２１０に移行することにより、本処理を継続して行う。
【００８１】
逆にステップＳ２２０において所定値を上回ると判定された場合、残容量判定部２１ｂはステップＳ２２１において、メモリ２２に記録されている残容量不足フラグの状態を確認する。残容量不足フラグが無効に設定されている場合、再びステップＳ２１０に移行することにより、本処理を継続して行う。逆に残容量不足フラグが有効に設定されている場合、残容量判定部２１ｂはステップＳ２２２において、残容量不足フラグを無効に設定する。
【００８２】
次に残容量通知部２１ｄがステップＳ２５０において、無線通信部２４を用いて親機１に対し、変更後の残容量フラグを示す情報、この場合はフラグが無効であることを示す情報を送信する。フラグ情報の送信後、再びステップＳ２１０に移行することにより、本処理を継続して行う。
【００８３】
以上のように本処理は通常、子機２の電源停止時やバッテリー切れの発生時等に終了される。ただし、処理中断指示を受け付ける指示受付部を設けることにより、任意のタイミングで本処理を中断可能とする形態であってもよい。
【００８４】
次に、子機２のステップＳ２５０により送信されたフラグ情報を受信した親機１の処理フローについて、図７を用いて説明する。図７に示す親機１の処理フローは、親機１の電源が起動し、子機２との通信が可能な状態において任意のタイミングで開始可能である。
【００８５】
本処理の開始後、制御部１１はステップＳ３１０において、無線通信部１６が子機２のバッテリー残容量を示すフラグ情報を受信したかどうかの判定を行う。フラグ情報を受信した場合、制御部１１はステップＳ３２０において、受信したフラグ情報をメモリ１２に記録する。逆にフラグ情報を受信していない場合、ステップＳ３２０を行わず、次のステップＳ３３０に移行する。
【００８６】
ステップＳ３３０において制御部１１は、内線ボイスコール機能の実施命令を検知したかどうかの判定を行う。なお内線ボイスコール機能の実施命令は、例えば親機１から子機２に対する内線通話リクエストの送信が行われ、かつ親機側（或いは子機側）の設定で内線ボイスコール機能が有効に設定されている場合に発行される。制御部１１が内線ボイスコール機能の実施命令を検知してない場合、ステップＳ３１０に移行して本処理を継続して行う。
【００８７】
逆にステップＳ３３０において、制御部１１が内線ボイスコール機能の実施命令を検知した場合、制御部１１はステップＳ３４０において、メモリ１２に記録されている子機２のフラグ情報の読み出しを行う。そして読み出したフラグ情報が含む残容量不足フラグの有効／無効をもとに、ステップＳ３５０において、残容量不足フラグが有効、つまり子機２のバッテリー３１の残容量が不足状態であるかどうかの判定を行う。
【００８８】
ステップＳ３５０において、残容量不足フラグが有効であると判定された場合、制御部１１はステップＳ３６０において、親機１が備える各部に対して、内線ボイスコール機能の実施に関する処理の実行を禁止する。具体的には例えば、制御部１１は無線通信部１６に対して、内線ボイスコール機能の実施を子機２に要求するリクエスト信号の発効禁止を指示する。
【００８９】
これにより無線通信部１６は、例えば内線ボイスコール機能が有効に設定され、かつ内線通話が発生した場合であっても、通常の内線通話リクエストしか送信することができない。この結果、内線ボイスコール機能を用いない通常の内線通話が行われ、子機２のパワーアンプ２７が出力音声を増幅することもない。なおステップＳ３６０の実施後、再びステップＳ３１０に移行することにより、本処理を継続して行う。
【００９０】
逆にステップＳ３５０において、残容量不足フラグが無効であると判定された場合、制御部１１はステップＳ３５１において、通常の内線ボイスコール機能の実行処理を行う。なおステップＳ３５１の実施後、再びステップＳ３１０に移行することにより、本処理を継続して行う。
【００９１】
以上のように本処理は通常、親機１の電源停止時やバッテリー切れの発生時等に終了される。ただし、処理中断指示を受け付ける指示受付部を設けることにより、任意のタイミングで本処理を中断可能とする形態であってもよい。
【００９２】
次に、本発明の電話装置の第三の実施形態ついて、図面を参照しつつ説明する。
［実施の形態３］
〈３−１．親機の内部構成について〉
実施の形態１と同内容であるため、ここでは説明を省略する。
【００９３】
〈３−２．子機の内部構成について〉
実施の形態１と同内容であるため、ここでは説明を省略する。
【００９４】
〈３−３．機能部の構成について〉
ここで、本発明の第三の実施形態に係る子機２が備える留守番電話モニター機能の動作禁止処理を構成する各機能部の関係を、図８の機能ブロック図を用いながら説明する。なお、実施の形態１と同内容の機能部については、同一の符号を付加することにより説明を省略するものとする。
【００９５】
図８に示すように本発明の留守番電話モニター機能の動作禁止処理は少なくとも、制御部２１が備える残容量確認部２１ａ、残容量判定部２１ｂ、通信機能部２１ｆ、及び留守番電話モニター部２１ｇと、無線通信部２４と、パワーアンプ２７と、バッテリー３１とにより構成される。
【００９６】
残容量確認部２１ａ、及び残容量判定部２１ｂについては実施の形態１と同内容であるため説明を省略する。
【００９７】
通信機能部２１ｆは、無線通信部２４を用いて、親機１の無線通信部１６と行う無線通信の制御を行う。例えば無線通信部１６より発行された内線通話リクエストを受信した際に、無線通信部１６に対するリクエスト返信を行う。また例えば、親機１が外線着信を検知したことを無線通信部１６から通知された際に、親機を中継した外線着信処理、例えばスピーカ２６による着信音の出力や表示部２９による外線着信情報の表示等の指示を行う。また例えば、親機１より留守番電話モニター機能の実施命令を受けた際に、後述する留守番電話モニター部に対して動作指示を与える役割を持つ。
【００９８】
留守番電話モニター部２１ｇは、親機１が外線着信を受けて留守番電話モードに移行した際に、外線通信による通話音声、及び親機１が出力するガイダンス音声などを無線通信部２４を用いて受信し、パワーアンプ２７を用いて音量を増幅してスピーカ２６より出力する。なお留守番電話モニター機能部２１は、あらかじめユーザ設定により留守番電話モニター機能が有効に設定されている場合のみ動作する。有効／無効の設定は、例えば子機２のメモリ２２に記録されている。或いは、親機から留守番電話モードの移行通知と共に留守番電話モニター機能の実施命令が送られてきた場合のみ、留守番電話モニター部２１ｇが動作する形態であってもよい。
【００９９】
〈３−４．留守番電話モニター機能の動作禁止処理について〉
ここで、本発明の第三の実施形態における親機１及び子機２の、留守番電話モニター機能の動作禁止処理を、図１、図２、及び図８のブロック図と、図９、及び図１０のフロー図とを用いながら説明する。なお図９が子機２の、図１０が親機１の処理フローを示している。
【０１００】
図９に示す子機２の処理フローは、子機２の電源が起動し、親機１との通信が可能な状態において任意のタイミングで開始可能である。本処理の開始後、残容量確認部２１ａはステップＳ４１０において、バッテリー３１が蓄えている電力の残容量の確認を行う。確認結果は、残容量判定部２１ｂに対して与えられる。上記確認結果を与えられた残容量判定部２１ｂはステップＳ４２０において、バッテリー３１の残容量があらかじめ定められた所定値を下回るかどうかの判定を行う。
【０１０１】
ステップＳ４２０において所定値を下回ると判定された場合、残容量判定部２１ｂはステップＳ４３０において、メモリ２２に記録されている残容量不足フラグの状態を確認する。残容量不足フラグが無効に設定されていない、つまり有効である場合、後述するステップＳ４５０に移行する。逆に残容量不足フラグが無効に設定されている場合、残容量判定部２１ｂはステップＳ４４０において、残容量不足フラグを有効に設定する。
【０１０２】
逆にステップＳ４２０において所定値を上回ると判定された場合、残容量判定部２１ｂはステップＳ４２１において、メモリ２２に記録されている残容量不足フラグの状態を確認する。残容量不足フラグが無効に設定されている場合、後述するステップＳ４５０に移行する。逆に残容量不足フラグが有効に設定されている場合、残容量判定部２１ｂはステップＳ４２２において、残容量不足フラグを無効に設定する。
【０１０３】
次に通信機能部２１ｆはステップＳ４５０において、無線通信部２４が親機１から何らかの通信リクエスト、例えば内線通話リクエスト等を受信したかどうかの確認を行う。通信リクエストが検知されていない場合、再びステップＳ４１０に移行することにより、本処理を継続して行う。逆に通信リクエストが検知された場合、通信機能部２１ｆはステップＳ４５０において、通信リクエストに対する返信信号の内部に、バッテリー３１の残容量不足フラグの状態を示すフラグ情報を埋め込んで送信する。
【０１０４】
なお、返信信号にフラグ情報を埋め込む際には、返信信号において仕様的に未使用であるリザーブ領域等にフラグ情報を埋め込むことが望ましい。通信機能部２１ｆによりフラグ情報が埋め込まれた返信信号は、無線通信部２４より親機１に送られる。その後、再びステップＳ４１０に移行することにより、本処理を継続して行う。
【０１０５】
以上のように本処理は通常、子機２の電源停止時やバッテリー切れの発生時等に終了される。ただし、処理中断指示を受け付ける指示受付部を設けることにより、任意のタイミングで本処理を中断可能とする形態であってもよい。
【０１０６】
次に、親機１の処理フローについて、図１０を用いて説明する。図１０に示す親機１の処理フローは、親機１の電源が起動し、子機２との通信が可能な状態において任意のタイミングで開始可能である。
【０１０７】
本処理の開始後、制御部１１はステップＳ５１０において、無線通信部１６を用いて子機２と通信を行うための通信リクエストの発行指示を受け付けたかどうかの判定を行う。なお通信リクエストの発行指示は、例えばユーザが操作ボタン群１８を用いて子機２との内線通話を開始するためのダイヤル操作を行った場合等に発行される。
【０１０８】
制御部１１が通信リクエストの発行指示を検知していない場合、後述するステップＳ５３０に移行する。逆に通信リクエストの発行指示を検知した場合、制御部１１は無線通信部１６を用いて子機２に通信リクエストの送信を行い、返信を待ち受ける状態になる。この通信リクエストに対して、前述の図９のステップＳ４５０及びステップＳ４６０により子機２の返信処理が行われる。返信を受けた親機１の制御部１１はステップＳ５２０において、返信信号よりバッテリー残容量を示すフラグ情報を抽出してメモリ１２に記録する。
【０１０９】
なお、返信信号に含まれるフラグ情報のデータ形式や返信信号内部における記録領域は、あらかじめ親機１と子機２との間で取り決めが行なわれ、ＲＯＭ（不図示）等の記録媒体に記録されている。また、通信障害等により子機２より返信が得られなかった場合や、返信にフラグ情報が含まれていない場合は、メモリ１２へのフラグ情報の記録は行われない。
【０１１０】
次にステップＳ５３０において制御部１１は、留守番電話モニター機能の実施命令を検知したかどうかの判定を行う。なお留守番電話モニター機能の実施命令は、例えば親機１の電話回線制御部１３が外線着信を検知して留守番電話モードに移行し、かつ親機１の設定で留守番電話モニター機能が有効に設定されている場合に発行される。ステップＳ５３０において制御部１１が留守番電話モニター機能の実施命令を検知していない場合、ステップＳ５１０に再び移行して本処理を継続して行う。
【０１１１】
逆にステップＳ５３０において、制御部１１が留守番電話モニター機能の実施命令を検知した場合、制御部１１はステップＳ５４０において、メモリ１２に記録されている子機２のフラグ情報の読み出しを行う。そして読み出したフラグ情報が含む残容量不足フラグの有効／無効をもとに、ステップＳ５５０において、残容量不足フラグが有効、つまり子機２のバッテリー３１の残容量が不足状態であるかどうかの判定を行う。
【０１１２】
ステップＳ５５０において、残容量不足フラグが有効であると判定された場合、制御部１１はステップＳ５６０において、親機１が備える各部に対して、留守番電話モニター機能の実施に関する処理の実行を禁止する。具体的には例えば、制御部１１は無線通信部１６に対して、留守番電話モニター機能による外線通話音声やガイダンス音声の子機２への送信処理を禁止する。或いは、子機２に対する留守番電話モニター機能の処理開始リクエストの送信を禁止する形態であってもよい。
【０１１３】
これにより無線通信部１６は、例えば親機１が外線着信を検知して留守番電話モードに移行し、かつ留守番電話モニター機能が有効に設定されている場合であっても、子機２との間で留守番電話モニター機能に関連する通信を行わない。この結果、親機１においては留守番電話機能による外線通話音声の録音処理等は行われるが、子機２においてはスピーカ２６及びパワーアンプ２７を用いた外線通話音声の出力処理は行われない。
【０１１４】
なお、留守番電話モニター機能に含まれる処理のうち、スピーカ２６及びパワーアンプ２７による音声出力処理以外の処理、例えば親機１が現在留守番電話モードであることを示す文字情報を子機２の表示部２９に行う処理等は実施する形態であってもよい。なおステップＳ５６０の実施後、再びステップＳ５１０に移行することにより、本処理を継続して行う。
【０１１５】
逆にステップＳ５５０において、残容量不足フラグが無効であると判定された場合、制御部１１はステップＳ５５１において、通常の留守番電話モニター機能の実行処理を行う。なおステップＳ５５１の実施後、再びステップＳ５１０に移行することにより、本処理を継続して行う。
【０１１６】
以上のように本処理は通常、親機１の電源停止時やバッテリー切れの発生時等に終了される。ただし、処理中断指示を受け付ける指示受付部を設けることにより、任意のタイミングで本処理を中断可能とする形態であってもよい。
【０１１７】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１１８】
従って本発明は、以下の形態にも適用可能である。
（Ａ）本実施形態では、子機２のバッテリー残容量不足時に動作禁止する機能としてハンズフリー機能、内線ボイスコール機能、及び留守番電話モニター機能を例としているが、パワーアンプ２７を用いて音声の増幅を行う機能であれば、上記以外の機能を子機２のバッテリー残容量不足時に本発明を用いて禁止する形態であってもよい。
【０１１９】
（Ｂ）本実施形態では、ハンズフリー機能等の禁止処理に関わる親機１及び子機２の各機能部が制御部１１及び制御部２１内部に備わっている構成を例として説明したが、これらの機能部の一部が電話網やＬＡＮ等のネットワークを介して接続された外部装置により実現される形態であってもよい。例えば、残容量判定部２１ｂや動作禁止部２１ｄがネットワーク上に存在する情報処理装置（ネットワークサーバ等）に実装されている形態であってもよい。これにより例えば、残容量不足であるかどうかを判定するための所定値の変更を複数の子機２に対して一括して行う、或いは複数の子機２ごとに異なる所定値を設定すること等が可能である。
【０１２０】
（Ｃ）本実施形態では、ハンズフリー機能、内線ボイスコール機能、及び留守番電話モニター機能の禁止処理を行う電話装置として、親子１と、親機１に無線接続される子機２とから構成される電話装置を例にあげているが、電話機能を備えたこれ以外の装置において本発明を実施する形態でもよい。例えば、車載用電話、ファクシミリ装置、ＩＰ電話やインターネット電話、電話装置に接続可能な携帯電話やＰＤＡやパソコン等の情報処理装置において実施する形態であってもよい。
【０１２１】
（Ｄ）本実施形態では、ハンズフリー機能、内線ボイスコール機能、及び留守番電話モニター機能の禁止処理に関わる親機１及び子機２の各種機能部が、マイクロプロセッサ等の演算処理装置上でプログラムを実行することにより実現されているが、各種機能部が複数の回路により実現される形態でもよい。
【０１２２】
（Ｅ）本実施形態では子機２は一台のみであるが、子機２を複数台備える電話装置において本発明を実施する形態であってもよい。この場合、実施の形態２及び実施の形態３においては、親機１はフラグ情報を子機２ごと個別に記録、管理することにより、バッテリーの残容量不足が検知された子機２に対してのみハンズフリー通話等の禁止を行う。それ以外の子機２に対してはハンズフリー通話等を許可する。
【図面の簡単な説明】
【０１２３】
【図１】図１は、本発明の電話装置が備える親機の構成を示すブロック図である。
【図２】図２は、本発明の電話装置が備える子機の構成を示すブロック図である。
【図３】図３は、本発明の第一の実施形態に係る子機が備える機能部の構成を示す機能ブロック図である。
【図４】図４は、本発明の第一の実施形態に係る子機の処理フローを示したフロー図である。
【図５】図５は、本発明の第二の実施形態に係る子機が備える機能部の構成を示す機能ブロック図である。
【図６】図６は、本発明の第二の実施形態に係る子機の処理フローを示したフロー図である。
【図７】図７は、本発明の第二の実施形態に係る親機の処理フローを示したフロー図である。
【図８】図８は、本発明の第三の実施形態に係る子機が備える機能部の構成を示す機能ブロック図である。
【図９】図９は、本発明の第三の実施形態に係る子機の処理フローを示したフロー図である。
【図１０】図１０は、本発明の三の実施形態に係る親機の処理フローを示したフロー図である。
【符号の説明】
【０１２４】
１      親機（主装置）
２      子機
１１    制御部
２１    制御部
２１ａ  残容量確認部
２１ｂ  残容量判定部
２１ｃ  ハンズフリー機能部
２１ｄ  動作禁止部
２１ｅ  内線ボイスコール機能部
２１ｆ  通信機能部
２１ｇ  留守番電話モニター部（モニター機能部）
２６    スピーカ
２７    パワーアンプ
３１    バッテリー
【図１】
2008258730.tif 000003
【図２】
2008258730.tif 000004
【図３】
2008258730.tif 000005
【図４】
2008258730.tif 000006
【図５】
2008258730.tif 000007
【図６】
2008258730.tif 000008
【図７】
2008258730.tif 000009
【図８】
2008258730.tif 000010
【図９】
2008258730.tif 000011
【図１０】
2008258730.tif 000012